【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
患者の脈管に挿入するようにサイズ及び形状が決められた、近位側部分及び遠位側部分を含む可撓性の細長い部材と、
前記可撓性の細長い部材の前記近位側部分と前記遠位側部分との間に延在する導体と、
前記可撓性の細長い部材の前記遠位側部分に配設された画像診断アセンブリとを含む、
脈管内画像診断デバイスであって、前記画像診断アセンブリは、
本体と前記本体から延在するタブとを含み、前記タブが前記導体に連結される導電性部分を含むフレックス回路と、
前記フレックス回路が周りに配設され、前記タブが上に位置付けられた棚部を含む支持部材とを含み、
前記棚部は、直径が低減された前記支持部材の一部分を含む、
脈管内画像診断デバイス。
【請求項２】
前記棚部は、前記タブに適応するようにサイズ及び形状が決められて、前記画像診断アセンブリの外径が、前記棚部及び前記タブを含む区域では増加しない、請求項１に記載の脈管内画像診断デバイス。
【請求項３】
前記支持部材は実質的に円筒状であり、前記棚部は平面である、請求項１に記載の脈管内画像診断デバイス。
【請求項４】
前記タブは前記フレックス回路の遠位側部分に配設され、前記棚部は前記支持部材の遠位側部分に位置付けられる、請求項１に記載の脈管内画像診断デバイス。
【請求項５】
前記支持部材は管腔を規定し、前記支持部材は前記棚部に隣接した陥凹部を含み、前記陥凹部は前記管腔と前記タブとの間に貫通路を規定し、前記貫通路を通って前記導体が延在する、請求項１に記載の脈管内画像診断デバイス。
【請求項６】
患者の脈管に挿入するようにサイズ及び形状が決められた、近位側部分及び遠位側部分を含む可撓性の細長い部材と、
前記可撓性の細長い部材の前記近位側部分と前記遠位側部分との間に延在する導体と、
前記可撓性の細長い部材の前記遠位側部分に配設された画像診断アセンブリとを含む、
脈管内画像診断デバイスであって、前記画像診断アセンブリは、
前記導体に連結されたフレックス回路と、
前記フレックス回路が周りに配設された支持部材であって、管腔、及び、前記導体が中を通って延在する前記管腔までの貫通路を規定する陥凹部を含む、支持部材とを含む、
脈管内画像診断デバイス。
【請求項７】
前記陥凹部は前記支持部材の近位側部分に配設される、請求項６に記載の脈管内画像診断デバイス。
【請求項８】
前記陥凹部は、前記導体に適応するようにサイズ及び形状が決められて、前記画像診断アセンブリの外径が、前記導体及び前記陥凹部を含む区域では増加しない、請求項６に記載の脈管内画像診断デバイス。
【請求項９】
前記陥凹部は、前記支持部材の外表面から前記管腔まで前記支持部材の内表面を通って径方向内側に延在する、請求項７に記載の脈管内画像診断デバイス。
【請求項１０】
前記フレックス回路は、本体と前記本体から延在するタブとを含み、前記導体は、前記タブの導電性部分で前記フレックス回路に連結され、
前記支持部材は前記タブが上に位置付けられる棚部を含み、
前記陥凹部は前記棚部に隣接して位置付けられる、
請求項６に記載の脈管内画像診断デバイス。
【請求項１１】
患者の脈管に挿入するようにサイズ及び形状が決められた、近位側部分及び遠位側部分を含む可撓性の細長い部材と、
前記可撓性の細長い部材の前記遠位側部分に配設された画像診断アセンブリであって、
フレックス回路と、
前記フレックス回路が周りに配設された、遠位部分にフランジを含む支持部材とを含む、
画像診断アセンブリと、
前記支持部材から延在し、前記フランジの周りに配設された遠位側部材とを含む、
脈管内画像診断デバイスであって、
前記フランジは、前記遠位側部材と前記支持部材との間の連結を容易にするため、当該フランジの接触表面積を増加するようにサイズ及び形状が決められる、
脈管内画像診断デバイス。
【請求項１２】
前記遠位側部材と前記支持部材との間に配設された接着剤を更に含み、前記フランジは、前記遠位側部材と前記支持部材との間で前記接着剤の付与範囲を増加するようにサイズ及び形状が決められている、請求項１１に記載の脈管内画像診断デバイス。
【請求項１３】
前記フランジは先細状である、請求項１１に記載の脈管内画像診断デバイス。
【請求項１４】
前記フランジはねじ山パターンを備える、請求項１１に記載の脈管内画像診断デバイス。
【請求項１５】
前記ねじ山パターンはバットレスねじパターンを含む、請求項１４に記載の脈管内画像診断デバイス。
【請求項１６】
前記フランジは、前記遠位側部材と前記支持部材との間の係止係合を容易にするようにサイズ及び形状が決められている、請求項１４に記載の脈管内画像診断デバイス。
【請求項１７】
患者の脈管に挿入するようにサイズ及び形状が決められた、近位側部分及び遠位側部分を含む可撓性の細長い部材と、
前記可撓性の細長い部材の前記遠位側部分に配設された画像診断アセンブリとを含む、
脈管内画像診断デバイスであって、前記画像診断アセンブリは、
フレックス回路と、
前記フレックス回路が周りに配設された支持部材とを含み、
前記フレックス回路の一部分は、前記支持部材の周りに螺旋構成で巻き付けられている、
脈管内画像診断デバイス。
【請求項１８】
前記フレックス回路は、複数のトランスデューサを含む第１の区画と、複数のコントローラを含む第２の区画と、前記複数のトランスデューサと前記複数のコントローラとの間の通信を容易にする複数の導電性トレースを含む第３の区画とを含む、請求項１７に記載の脈管内画像診断デバイス。
【請求項１９】
第３の区画は前記支持部材の周りに螺旋構成で巻き付けられている、請求項１７に記載の脈管内画像診断デバイス。
【請求項２０】
第３の区画の前記フレックス回路の寸法値は、第１の区画及び第２の区画の前記フレックス回路の寸法値よりも小さい、請求項１７に記載の脈管内画像診断デバイス。
【請求項２１】
前記フレックス回路の上に配設されたコーティングを更に含み、前記フレックス回路の前記一部分にあるギャップの間に延在する当該コーティングが、前記支持部材の周りに螺旋構成で巻き付けられている、請求項１７に記載の脈管内画像診断デバイス。
【請求項２２】
脈管内画像診断デバイスを組み立てる方法であって、前記方法は、
複数のトランスデューサ、複数のコントローラ、及び前記複数のトランスデューサと前記複数のコントローラとの間の通信を容易にする複数の導電性トレースを含むフレックス回路を獲得するステップと、
前記フレックス回路を支持部材の周りに位置付けるステップであって、前記フレックス回路の一部分を前記支持部材の周りに螺旋構成で巻き付けることを含む、ステップと、
前記フレックス回路及び前記支持部材が可撓性の細長い部材の遠位側部分に配設されるようにして、前記可撓性の細長い部材を前記フレックス回路又は前記支持部材の少なくとも一方に連結するステップとを含む、
方法。
【請求項２３】
前記フレックス回路は、前記複数のトランスデューサを含む第１の区画と、前記複数のコントローラを含む第２の区画と、前記複数の導電性トレースを含む第３の区画とを含み、
前記第３の区画は、前記支持部材の周りに螺旋構成で巻き付けられている、
請求項２２に記載の方法。
【請求項２４】
ギャップの間に延在するコーティングを、前記支持部材の周りに螺旋構成で巻き付けられた前記フレックス回路の少なくとも一部分に付与するステップを更に含む、
請求項２２に記載の方法。
【手続補正２】
【補正対象書類名】明細書
【補正対象項目名】００１２
【補正方法】変更
【補正の内容】
【００１２】
[0012]  いくつかの実施形態では、デバイスは、遠位側部材と支持部材との間に配設された接着剤を更に含み、フランジは、遠位側部材と支持部材との間で接着剤の付与範囲を増加するようにサイズ及び形状が決められている。いくつかの実施形態では、フランジは先細状である。いくつかの実施形態では、フランジはねじ山パターンを備える。いくつかの実施形態では、ねじ山パターンはバットレスねじパターンを含む。いくつかの実施形態では、フランジは、遠位側部材と支持部材との間の係止係合を容易にするようにサイズ及び形状が決められている。